(57)【特許請求の範囲】
【請求項１】
上部の支点周りに揺動可能なチャフ板を多数備えてチャフシーブを構成するとともに、前記チャフ板の下部を連結杆で連結してすべてのチャフ板の上下の各支軸間距離が等しく、且つ前記チャフ板のすべてが互いに平行状態を維持しながら一体揺動するように構成し、チャフシーブの搬送上手部分におけるチャフ板同士の間隔を、チャフシーブの搬送下手部分におけるチャフ板同士の間隔より広く、チャフ板同士の間隔が広い搬送上手部分の前後設置範囲をチャフ板同士の間隔が狭い搬送下手部分の前後設置範囲より短く設定し、チャフ板同士の間隔が広い搬送上手部分の大部分をグレンパンの上方に位置させ、チャフ板同士の間隔が狭い搬送下手部分の始端部をグレンパンの後方に連設したグレンシーブの上方に位置させてある脱穀装置。
【発明の詳細な説明】
【０００１】
【発明の属する技術分野】
本発明は、脱穀装置におけるチャフシーブの揺動構造に関する。
【０００２】
【従来の技術】
チャフシーブ上に供給される選別物は、一般に、搬送上手側での選別物は穀粒の比率が大きいのに対して、搬送下手側での選別物は穀粒の比率が小さく選別物の大半はワラ屑が占めている。その為、チャフ板どうしの隙間がすべて同じであれば、搬送上手側の穀粒を十分に漏下させようとチャフ板を揺動させて隙間を大きくすると、搬送下手側のわら屑も漏下し易くなり２番還元物が多くなり選別性能が低下してしまい、また逆に、搬送下手側のわら屑の漏下を防ぐために隣り合うチャフ板の隙間を小さくすると、搬送上手側における穀粒の漏下量も減ってしまい穀粒を十分に回収することができない、といった不具合が生じていた。
【０００３】
そのため、従来では、チャフシーブの搬送上手部分を搬送下手部分より選別物の漏下量を多くするために、同じ幅に備えられているチャフ板の角度を異なるように構成して、搬送上手部分の隣り合うチャフ板の間隔に比べて搬送下手部分の隣り合うチャフ板の間隔より広く設定しているものがあった。その構成としては、搬送上手部分と搬送下手部分との夫々を個別に揺動させるように構成したり、また、搬送上手部分のチャフ板に対する搬送下手部分のチャフ板の位置ずれを許すように構成（例えば、特開平２００１−０９５３６０号公報）したりしたものが考えられている。
【０００４】
【発明が解決しようとする課題】
しかし、上記従来の前者の構成のものであると、２組のチャフシーブに対して夫々に揺動構造を備えなければならず、また、上記従来の後者の構成のものでは、搬送上手部分に対して搬送下手部分のチャフ板における連結杆への取付構造が複雑になってしまい、両者ともに、隙間を変更させる構造が複雑になるとともにコスト高となってしまうおそれがあった。
【０００５】
本発明の目的は、隣り合うチャフ板の隙間を搬送下手部分より搬送上手部分を広く設定したチャフシーブ構造を、簡単な構造変更するだけで構成して安価に提供することを目的とする。
【０００６】
【課題を解決するための手段】
〔構成〕
本発明の請求項１にかかる特徴構成は、上部の支点周りに揺動可能なチャフ板を多数備えてチャフシーブを構成するとともに、前記チャフ板の下部を連結杆で連結してすべてのチャフ板の上下の各支軸間距離が等しく、且つ前記チャフ板のすべてが互いに平行状態を維持しながら一体揺動するように構成し、チャフシーブの搬送上手部分におけるチャフ板同士の間隔を、チャフシーブの搬送下手部分におけるチャフ板同士の間隔より広く、チャフ板同士の間隔が広い搬送上手部分の前後設置範囲をチャフ板同士の間隔が狭い搬送下手部分の前後設置範囲より短く設定し、チャフ板同士の間隔が広い搬送上手部分の大部分をグレンパンの上方に位置させ、チャフ板同士の間隔が狭い搬送下手部分の始端部をグレンパンの後方に連設したグレンシーブの上方に位置させてある点にある。
【０００７】
〔作用〕
上記構成によれば、搬送上手部分ではチャフ板どうしの間隔が広くて選別物を漏下しやすく、漏下した選別物をグレンパン上に落下するようにし、搬送下手部分ではチャフ板同士の間隔が狭くて選別物のうち穀粒をグレンシーブ上に流下させ、選別物に混じっている藁屑の漏下をし難くしてあるので選別性能が向上できる。また、チャフ板を揺動させても、搬送上手部分のチャフ板どうしの間隔が搬送下手部分のチャフ板同士の間隔より広い、という関係が崩れないものであるとともに、搬送上手部分と搬送下手部分とを一体に揺動させても、チャフ板下部の移動方向、並びに移動距離が搬送上手部分と搬送下手部分とで同じであるため、リンク構造を搬送上手部分と搬送下手部分とで同じように構成できる。
【０００８】
〔効果〕
従って、搬送上手部分と搬送下手部分とで漏下しやすさの違うものでありながら、搬送上手部分と搬送下手部分とでのリンク構造を同様に構成して構造簡単にすることができ、チャフシーブを安価に構成できる。
【０００９】
【発明の実施の形態】
以下、本発明の実施の形態を図面に基づいて説明する。図１は、本発明を適用したコンバイン搭載用の脱穀装置を示している。この脱穀装置は、フィードチェーン１で挟持搬送されてきた刈取穀稈を脱穀処理する扱胴３を扱室２に軸支し、この扱胴３の下方で脱穀した選別物を漏下処理する受網４を張設する脱穀部Ａと、選別物を後方に揺動移送しながら篩い選別ならびに風選別処理し、選別物を一番物（穀粒）と二番物とに分けて回収する選別部Ｂとを備えて構成している。
【００１０】
前記選別部Ｂは、受網４の前部から漏下した選別物を穀粒とわら屑とに比重選別しながら後方へ移送する第１グレンパン１０ａ、第１グレンパン１０ａや受網４からの選別物を篩い選別するチャフシーブ１１、チャフシーブ１１の前部から漏下した選別物を穀粒とワラ屑とに比重選別しながら後方へ移送する第２グレンパン１０ｂ、穀粒を篩い選別するとともに唐箕５からの選別風で風選別処理するグレンシーブ１２、扱室後端からの選別物をわら屑と回収可能な選別物とに選別処理するストローラック１３等をそれぞれシーブケース６に設け、このシーブケース６を一定ストロークで前後に揺動駆動するように構成している。グレンシーブ１２から漏下して風選された穀粒は、貯留タンク（図示せず）に搬出する一番物回収部８ａと、グレンシーブ１２の後端から落下した刺さり籾や枝付き籾等の二番物を二番物還元装置９を介して選別上手側に還元して再処理させる二番物回収部８ｂとに選別されて回収される。そして、シーブケース６上に浮遊する塵埃は、排塵ブロア７の吸引風によって機外に排出されるようになっている。
【００１１】
次に、前記チャフシーブ１１の構造について説明する。図２に示されているように、チャフシーブ１１は、傾斜させた複数のチャフ板１１ａを選別物搬送方向の所定間隔おきに配置することによって構成されており、チャフ板１１ａを揺動可能に構成した揺動チャフシーブ１１Ａと、チャフ板１１ａをシーブケース６に固定した固定チャフシーブ１１Ｂとを備えている。そして、揺動チャフシーブ１１Ａの構成は、シーブケース６に固定した支持部材１４に各チャフ板１１ａの上部を支軸１６を介して支点Ｐ周りに回転自在に枢支連結し、チャフ板１１ａの下部を連結杆１５に回動自在に支軸１７を介して軸支してある。尚、チャフ板１１ａはバネ１８によって閉じ側に付勢してあり、チャフ板１１ａは、揺動チャフシーブ１１Ａ上の選別物の量が多くなるとバネ付勢に抗して開き側に揺動し、揺動チャフシーブ１１Ａ上の選別物の量が少なくなるとバネ付勢によって閉じ側に揺動するため、揺動チャフシーブ１１Ａのチャフ板１１ａ角度を揺動チャフシーブ１１Ａ上の選別物の量に見合った角度とすることができる。
【００１２】
揺動チャフシーブ１１Ａのチャフ板１１ａどうしの間隔は、搬送上手部分ｆでのチャフ板１１ａどうしの間隔ａを、搬送下手部分ｒでのチャフ板１１ａどうしの間隔ｂに比べて大きく設定してあり、搬送上手部分ｆを搬送下手部分ｒより選別物を漏下し易く構成してある。
【００１３】
チャフ板１１ａの揺動支点Ｐと連結杆１５に対する連結点との間隔を、搬送上手部分ｆのチャフ板１１ａと搬送下手部分ｒのチャフ板１１ａとで等しく設定するとともに、揺動チャフシーブ１１Ａにおけるチャフ板１１ａのすべてが常に平行となるように連結してある。従って、チャフ板１１ａが揺動する際には、チャフ板１１ａの搬送上手部分ｆと搬送下手部分ｒとを連結杆１５によって一連に揺動させて、前記間隔ａ，ｂの大小関係を維持しながらチャフ板１１ａどうしの間隔を変更させるとともに、この際、搬送上手部分ｆと搬送下手部分ｒとを一連に揺動させても、搬送上手部分ｆと搬送下手部分ｒとでチャフ板１１ａ下部の移動方向並びに移動距離が同じであるため、搬送下手部分ｒ（或いは搬送上手部分ｆ）にチャフ板１１ａ下部における連結点の位置ずれを許容する構造が必要がない。
【００１４】
〔別実施の形態〕
尚、上記実施の形態では、揺動チャフシーブ１１Ａの搬送上手部分ｆと搬送下手部分ｒとの２段階にチャフ板どうしの間隔を設定したが、必要に応じて３段階以上に設定してもよい。また、チャフ板１１ａの揺動を選別物の重量により開閉するものではなく、センサーなどにより選別物量を検出するもの、例えば、チャフシーブ上の選別物の堆積量を検出し、その検出結果に基づいてチャフシーブ１１Ａを揺動操作するものでもよい。また、上記実施の形態では、チャフシーブ１１を、揺動チャフシーブ１１Ａと固定チャフシーブ１１Ｂとで構成したが、揺動チャフシーブ１１Ａのみで構成してもよい。
【図面の簡単な説明】
【図１】脱穀装置の縦断側面図
【図２】シーブケースの側面図
【図３】揺動チャフシーブの要部を拡大した側面図
【図４】シーブケースの縦断正面図
【符号の説明】
１１Ａ  揺動チャフシーブ
１１ａ  チャフ板
１５    連結杆
Ｐ    支点
ａ    間隔
ｂ    間隔
ｆ    搬送上手部分
ｒ    搬送下手部分
【図１】
0003746459.tif 000002
【図２】
0003746459.tif 000003
【図３】
0003746459.tif 000004
【図４】
0003746459.tif 000005